Podtech/llm-jp-corpus-v4-ja_patent huggingface dataset:
(57)【要約】【課題】うどんパンの製造に小麦粉が使用されているが長期保存には適当ではなかった。イースト菌を使用されているパンは長期保存に適当ではなかった。肉魚肉挽き肉の加工品は着色料、防腐剤としての化学薬品が使用されていた。【解決の手段】うどんの製造に小麦粉へ本発明生乳糖分抱合体の混入により長期保存に成功した。又、食味も向上した。パンの製造にはイースト菌が使用されているが、本発明の生乳糖分抱合体の醗酵物質中の小麦澱粉分解酵素によるパンの製造に成功した。又長期保存にも成功し、食味も向上した。肉魚肉挽き肉へ本発明の生乳糖分抱合体の混入し焼き上げ長期保存に成功した。食味風味も向上した。【特許請求の範囲】
【請求項１】
生乳と糖分の抱合体
生乳１０００ｃｃに対し糖分２００グラム〜４００グラム混入、１０〜２０℃として４〜７日間放置後極めて粘着力の強い膠様物質を得る。即ち生乳糖抱合体である。
【請求項２】
生乳と糖分の抱合体の醗酵物質
生乳糖抱合体を３０〜４０℃として１２〜３６日間後醗酵物質を得る。
【請求項３】
小麦澱粉分解酵素
請求項２の生乳糖分抱合体の醗酵物質中に小麦澱粉分解酵素の存在を確認した。
以上
【請求項１】
【請求項２】
【請求項３】
の物質全ての利用応用は本発明の範囲に属することは言う迄もない。
【発明の詳細な説明】
【技術分野】
【０００１】背景技術【０００２】  うどんパンの製造には小麦粉が使用されているが長期保存が難しい。【０００３】  肉魚肉加工品には着色料防腐剤として化学薬品が使用されている【０００４】  パンの製造にはイースト菌が使用されているが長期保存は難しい。
【発明の開示】
【発明の解決しようとする課題】
【０００５】  うどんパンの長期保存方法
【０００６】  肉魚肉加工製品への化学物質を全く使用しない加工食品の開発
【０００７】  イースト菌を使用せずパンを焼き製造し長期保存を可能とする
【課題を解決するための手段】
【０００８】  生乳１０００ｃｃに対し果糖ブドウ糖糖分を２００〜４００グラム混入１５〜２５℃として４〜７日間後極めて粘着力のつよい膠様物質を得た。即ち生乳糖抱合体である。
【０００９】  生乳糖抱合体を３０〜４０℃として１２〜３６時間後生乳糖分の醗酵体を得る。
【００１０】  生乳糖分の醗酵体中に小麦澱粉の分解酵素の存在を確認した。
【発明の効果】
【００１１】  生乳糖抱合体は極めて粘着性が強い膠様物質であり小麦粉肉魚肉へ混入し易い、又、優れた抗菌抗黴抗変質性を持ち、又，材質の向上を得た。
【発明を実施するための最良の形態】
【００１２】  小麦薄力粉肉魚肉への生乳糖抱合体の混入により良質な食品を製造した。又、イースト菌を使用せず生乳糖抱合体の醗酵物質を加えることによりパンを製造した。
【実施例】
【００１３】  小麦薄力粉１０００グラムに対し生乳糖抱合体２００〜４００グラム混入踏み固め細断しうどんを製造した。又、３０日間室温２０〜３０℃としても細菌黴変質の発生も無く、食味も優れていた。【００１４】  小麦薄力粉１０００グラムに対し生乳糖抱合体の醗酵物質２００〜４００グラム加え３０〜４０℃として１２〜３６時間後全くイースト菌を使用せず３倍に膨張し焼き上げパンを製造した。又、室温２０〜３０℃として３０日間後細菌黴の発生変質は全く無く、食味も優れていた。【００１５】  肉魚肉挽き肉３００グラムに対し生乳糖抱合体１０〜３０グラム生乳糖分抱合体を混入焼き上げ美味なるかまぼこ様の加工製品を得た。さらに室温２０〜３０℃として３０日間後細菌黴の発生変質等全く無く風味優れた食肉加工品を製造した。
【産業上の利用可能性】
【００１６】  本発明の生乳糖抱合体並びに生乳糖抱合体の醗酵物質、小麦澱粉分解酵素を利用し実施例のごとくうどんパン肉魚肉への利用を実験的に行いその抗菌抗黴性が極めて高く又変質も起こらず食味も向上されていた事実から実施例以外にも種々に利用可能と考えられる。又、化学薬品を全く使用せず自然食品の抱合体であり長期保存にも適している。
れた抗菌抗黴作用を持ち原材料の風味を損なわず化学薬品を使用せず長期保存に成功した。
本発明の生乳糖分抱合体及びその醗酵物質は極めて抗菌抗黴性に優れ、食品のみならず医療上にも貢献し得れば幸いである。
(57)【要約】【課題】従来「ふろふき大根」は家庭料理であった。しかし、現代の生活は忙しく料理に時間が掛けられないのが実情である。この家庭の味の「ふろふき大根」を、現代の食の場、例えば外食、中食、病院食、等で簡便に食せるようにすることを課題とした。【解決手段】袋にアク抜きした大根と調味液等を充填し真空パックし殺菌する。これを急速凍結することで、冷凍ふろふき大根とし、お湯や電子レンジ等で解凍加温するだけで食せる調理済食品とした。【選択図】図１
2006014714.tif 000002
【特許請求の範囲】
【請求項１】
解凍することによりそのまま食することが出来る調理済冷凍ふろふき大根の製造方法。
【請求項２】
ボイル時間を延長し、身を柔らかくして病院食用等として製造する請求項１の製造方法
【請求項３】
冷凍ふろふき大根を流通時点で解凍して販売する請求項１の製品の販売方法。
【発明の詳細な説明】
【技術分野】
【０００１】この発明は調理済冷凍ふろふき大根の製造方法に関するものである。
【発明の開示】
【発明が解決しようする課題】
【０００２】ふろふき大根は調理に手間の掛かるという欠点のある食品（料理）である。調理方法としては、生鮮の大根の皮を導管まで（皮より５〜１０ｍｍ）剥き、輪切りとし、米糠等と共に煮てアクを抜く、このアク抜きした輪切大根を調味料と共に煮込み味を付ける。現代社会の食の場においては調理時間の短縮に対する要望が大変強い。また、高齢化社会の中で病院食や高齢者の為の柔らかい、ふろふき大根等の要求もある。本発明は「ふろふき大根」のこれら欠点を除くためになされてものである。
【課題を解決するための手段】
【０００３】新鮮な大根の皮を導管まで剥き輪切とする。それをアク抜きし冷却する。調味液等と冷却した大根を耐熱性のある袋に充填し、真空パックをしてボイル殺菌し、その後に冷却し、急速冷凍し調理済食品とする。
【発明の効果】
【０００４】本発明は以上のようであり、袋に調味液と味付きの大根が入り冷凍されているために、お湯で解凍し温める、または電子レンジで解凍加温するだけで、おいしく柔らかい、ふろふき大根を簡便に食することが出来る。
【発明を実施するための最良の形態】
【０００５】以下、本発明の実施の形態について説明する。
大根は収穫後、洗浄、皮むき（導管まで皮を除く）、トリミングし、輪切りとする。この輪切り大根を米糠等とボイルしアクを抜く。アク抜きした大根を調味液等と共に袋に充填し、真空パックし、ボイル殺菌し、冷却する。これを急速冷凍する。
【実施例】
【０００６】原料の大根は栽培時に農薬等を管理し安全性を確保する。早朝収穫された大根は同日に商品化されなければならない。工場に搬入された大根を洗浄し、葉柄や尻尾などを取り除きスライスする。スライスした大根を規定の直径に丸く型抜きし輪切り大根とする。この時に皮は導管まで（５〜１０ｍｍ）剥き、正肉のみとし味が均一に入るようにする必要がある。この輪切り大根を米糠等と共にボイルしアク抜きする。アク抜きした輪切り大根を袋に調味液等と共に充填し、真空パックする。これをボイル殺菌し冷却し急速冷凍する。
このボイル殺菌の時間により身の柔らかさを調整する。特に病院食などはスプーン等で食べられるように柔らかくする必要がある。
【図面の簡単な説明】
【０００７】
【図１】工程図
【図１】
2006014714.tif 000003
(57)【要約】 【課題】  鼻毛を鼻粘膜等を傷つけることなく、安全に刈り取り、鼻毛をニッパーの刃先に付けて回収し、ニッパーの刃先を開けてティッシュ等で拭き取れば、いつまでも衛生的に使用が可能である。【解決の手段】  鼻毛を切る方法として、刃を交差しないニッパー式としたこと、そのニッパーの歯部を湾曲形とし、その内側沿線内に刃を設けたことである。又その刃、先端部は丸みを施し安全に使用できるニッパー式鼻毛切器である。【選択図】  なし。【特許請求の範囲】
【請求項１】
歯部を交差することなく、鼻毛を切り又その鼻毛を飛散することなく回収できる鼻毛切り器。
【請求項２】
歯の形状を、鼻内部の形状に合う、湾曲した歯形にした鼻毛切り器。    
【請求項３】
鼻粘膜を傷つけず鼻毛を安全に切るために、刃先を請求項２の湾曲した歯形の内側沿線に設けた鼻毛切り器。
【発明の詳細な説明】
【技術分野】
【０００１】
この案件は毛などの切断手工具に属し、主として鼻毛の刈り取りなどに利用される。
【背景技術】
【０００２】
鼻毛刈り取り鋏は鼻粘膜を傷つけないように先端部が大きく張り出し、鼻毛を押さえ込み刃部を動かしても充分な刈り取りができず、更には刃部が反つた物が使用されている。或いは鼻毛を巻き込み刈る物もあるが、刃と回転部に鼻毛が噛み込み鼻毛を抜き取り出血を起こす。こうした危険や充分な刈り取りができなかった。
【０００３】
この改善策として、歯形を鼻内部の形状に合った形とし、ひだ及び粘膜を傷つけること無く軽く当て鼻毛を刈り取るニッパーを提供しょうとする。
【特許文献１】実開 昭５７−１３２６６２号
【特許文献２】実開 平０３−３４４０７号
【特許文献３】実開 平０６−６２９０５号
【発明の開示】
【発明が解決しようとする課題】
【０００４】
この発明は、鼻粘膜に軽く押し当て鼻毛を刈ると共に、鼻粘膜を刃先で傷つけることのないニッパーを提供しようとする。
【課題を解決するための手段】
【０００５】
ニッパーの歯形を鼻内部の形状にあった歯形(湾曲)とし、刃先を歯の内側に設けることによりその目的を達成する。
【発明の効果】
【０００６】
鼻毛を鼻粘膜を傷つけることなく一様に刈り取ることができる。
【実施例１】
【０００７】
この発明のニッパーＡは、湾曲したニッパー歯部１の内側沿線内に刃４を設けたニッパーで、刃と刃を噛み合わせることにより鼻毛を刈り取ることに使用される。
【図面の簡単な説明】
【０００８】
【図１】ニッパーの平面図。
【図２】ニッパーの側面図。
【図３】ニッパーの刃、噛み合わせ部の拡大図。
【符号の説明】
【０００９】
Ａ  鼻毛切用ニッパー
１  湾曲したニッパーの歯部
２  ニッパーの開閉支点
３  ニッパーの左刃部
４  ニッパーの右刃部
５  ニッパーの刃、噛み合わせ部
【図１】
2006014798.tif 000002
【図２】
2006014798.tif 000003
【図３】
2006014798.tif 000004
(57)【要約】【課題】従来の耳かき棒は、丈が長く、携帯するのに不便だった。【解決手段】外筒（１）の中にスライド可能な中筒（２）を収納し、次にスライド可能な中筒（２）の中にスライド可能な耳かき部（３）を収納する。【選択図】      図４
2006014918.tif 000002
【特許請求の範囲】
【請求項１】
外筒（１）の中にスライド可能な中筒（２）を収納し、次にスライド可能な中筒の中にスライド可能な耳かき部（３）を収納した伸縮自在の耳かき棒。
【発明の詳細な説明】
【技術分野】
【０００１】
本発明は、伸縮自在の耳かき棒に関する。
【背景技術】
【０００２】
従来の耳かき棒は、耳穴の中に挿入し、痒みを取り、耳垢を取り除きやすいように丈が長く作られていた。
【非特許文献１】「URL：http://www.kenko.com/product/item/itm_6651028072.html」ケンコーコム，２００４年，６月３０日現在。
【特許文献１】特開平１１−１９７０５１
【特許文献２】特開平１１−２４４１８６
【特許文献３】特開平  ８−５２０９１
【特許文献４】特開平１１−１５５７５６
【発明の開示】
【発明が解決しようとする課題】
【０００３】
従来の耳かき棒は、丈が長く、携帯するのに不便だった。
【課題を解決するための手段】
【０００４】
図４に示すように、外筒（１）の中スライド可能なに中筒（２）を収納し、スライド可能な中筒（２）の中にスライド可能な耳かき部（３）を収納した伸縮自在の耳かき棒を提供する。
【発明の効果】
【０００５】
耳かき棒に新たに伸縮性の機能を加えることによって、使用しない時は、丈を短くすることができ、携帯性・収納性が増す。それから、使用する時は、完全に伸ばした耳かき棒を耳穴の中に挿入し、痒みを取ったり、耳垢を取り除いたりすることができる。
【発明を実施するための最良の形態】
【０００６】
図４に示すように、外筒（１）の中にスライド可能な中筒（２）を収納し、次に中筒の中にスライド可能な耳かき部（３）を収納する。
本発明は、以上の構成よりなっている。
使用するときは、外筒（１）の中からスライド可能な中筒（２）を引き出し、次にスライド可能な中筒（２）の中からスライド可能な耳かき部（３）を引き出し、図５の状態で耳穴の中に挿入し、痒みを取り、耳垢を取り除くことができる。
図４に示すように、使用後は、スライド可能な耳かき部（３）をスライド可能な中筒（２）の中に収納し、次にスライド可能な中筒（２）を外筒（１）の中に収納する。これにより、耳かき棒の丈を短くすることができ、収納性・携帯性が増す。
【図面の簡単な説明】
【０００７】
【図１】従来の耳かき棒の正面図
【図２】従来の耳かき棒の右側面図
【図３】本発明の正面図（最も縮んだ状態）
【図４】Ａ−Ａ断面図
【図５】本発明の縦断面図（完全に伸ばした状態）
【図６】本発明の使用状態を表す図
【符号の説明】
【０００８】
１  外筒
２  スライド可能な中筒
３  スライド可能な耳かき部
【図１】
2006014918.tif 000003
【図２】
2006014918.tif 000004
【図３】
2006014918.tif 000005
【図４】
2006014918.tif 000006
【図５】
2006014918.tif 000007
【図６】
2006014918.tif 000008
(57)【要約】【課題】  洗濯物が傷付くのを防止しつつ、洗濯物に対して相対的な水流を生じさせ、洗濯物をより効率良く洗浄することができるようにする。【解決手段】  粗いネット状の袋２の内又は外に浮体４を取り付ける。前記袋２の上部に、間隔をおいて二つの前記浮体４を取り付けたものとすることが好ましい。【効果】  洗濯機内で水は渦を巻いて上下方向の水流を生じるが、本発明の洗濯ネットには浮体が取り付けられているため、水流に伴われて沈むことに対して強い抵抗を生じ、洗濯物と水との間に相対的な流れが生じ、その流れにより洗濯物は効率良く洗浄される。【選択図】          図１
2006014910.tif 000002
【特許請求の範囲】
【請求項１】
粗いネット状の袋（２）の内又は外に浮体（４）を取り付けたことを特徴とする、洗濯ネット
【請求項２】
前記袋（２）の上部に、間隔をおいて二つの前記浮体（４）を取り付けたことを特徴とする、請求項１に記載の洗濯ネット
【発明の詳細な説明】
【技術分野】
【０００１】
本発明は洗濯ネットに関するものであって、ストッキングや下着などを洗濯機で洗濯するに際し、これらの洗濯物を収容して洗濯機にかけ、洗濯機内の水流によって洗濯物が傷付くのを防止するためのネット状の袋に関するものである。
【背景技術】
【０００２】
従来から家庭などにおいてストッキングや女性用の下着などを洗濯する際には、これらの洗濯物が洗濯機内の水流で傷付くのを防止するために、これらの洗濯物を目の粗いネット状の袋に収容した状態で洗濯機にかけることが行われている。
【０００３】
またかかる洗濯ネットの構造や、特定の洗濯物を洗濯するための洗濯ネットなどが種々提案されている。例えば特開２００３−３４０１９０号公報に記載されたものなどはその一例である。
【０００４】
しかしながら、これらの洗濯ネットを使用しないで洗濯する際には、洗濯物が洗濯機の洗濯槽内で拡がったり丸まったりしながら形を変え、水流で揉まれることにより洗浄されるのであるが、これらの洗濯ネットに洗濯物を収容すると、洗濯ネットに収容された状態で一纏まりとなって水流で流されることとなるため、洗濯物と水との相対的な流れが少なくなり、洗浄効果が低下していた。
【特許文献１】特開２００３−３４０１９０号公報
【発明の開示】
【発明が解決しようとする課題】
【０００５】
本発明はかかる事情に鑑みなされたものであって、洗濯物が傷付くのを防止しつつ、洗濯物に対して相対的な水流を生じさせ、洗濯物をより効率良く洗浄することができるようにすることを目的とするものである。
【課題を解決するための手段】
【０００６】
而して本発明は、粗いネット状の袋の内又は外に浮体を取り付けたことを特徴とするものである。本発明においては、前記袋の上部に、間隔をおいて二つの前記浮体を取り付けたものとすることが好ましい。
【発明の効果】
【０００７】
本発明によれば、洗濯機内で水は渦を巻いて上下方向の水流を生じるが、本発明の洗濯ネットには浮体が取り付けられているため、水流に伴われて沈むことに対して強い抵抗を生じ、洗濯物と水との間に相対的な流れが生じ、その流れにより洗濯物は効率良く洗浄されるのである。
【発明を実施するための最良の形態】
【０００８】
以下本発明の実施の形態を図面に従って説明する。図１は本発明の洗濯ネット１を示すものであって、その洗濯ネット１は粗いネット状の袋２よりなっており、その袋２の開口部はスライドファスナー３により開閉し得るようになっている。
【０００９】
そして本発明においては、前記袋２に浮体４が取り付けられている。この浮体４は、図面においては袋２の内側に取り付けられているが、袋２の外側に取り付けても差し支えない。浮体４としては、軟質プラスチックの中空球又は発泡体を使用するのが好ましい。浮体４の大きさは、３〜１０cm程度が適当である。
【００１０】
またこの浮体４は一個でも差し支えないが、図面に示すように袋２の上部の二か所に間隔をおいて二つ取り付けるのが好ましい。二つの浮体４の間隔は、１５〜４０cm程度が適当である。
【００１１】
本発明の洗濯ネット１を使用するには、スライドファスナー３を開いて袋２内に洗濯物を収容し、スライドファスナー３を閉じた状態でそのまま通常の洗濯ネットと同様に洗濯機の洗濯槽に投入する。
【００１２】
洗濯槽内においては、洗濯機の撹拌羽根によって渦巻状の水流が生じており、その水流によって洗濯物を入れた洗濯ネット１は他の洗濯物と共に撹拌され、回転しながら浮沈を繰り返すことになる。
【００１３】
このとき本発明によれば洗濯ネット１に浮体４が取り付けられているので、洗濯ネット１には常時水面に向かって上昇しようとする力が働いており、水中に沈むことに対して強い抵抗を示す。
【００１４】
そのため下降水流中においても洗濯ネット１は浮上しようとし、水は洗濯ネット１の目の間を通って水と洗濯物との間に相対的な水流を生じることとなり、浮体４がないときに比べて洗濯物はより強く洗浄されるのである。
【００１５】
また図面に示すように、袋２の上部に間隔をおいて浮体４を二つ取り付けることにより、二つの浮体４が渦によりそれぞれ別個に回転することとなるため、洗濯ネット１は洗濯槽内で拡がった状態となりやすく、より多くの水が洗濯ネット１の目を通って洗濯物の洗浄に寄与する。
【図面の簡単な説明】
【００１６】
【図１】本発明の洗濯ネットの正面図
【符号の説明】
【００１７】
１  洗濯ネット
２  袋
３  スライドファスナー
４  浮体
【図１】
2006014910.tif 000003
(57)【要約】【課題】電磁鋼板を使用する電気機器において、磁励振動による騒音を低減する。【解決手段】電磁鋼板数枚からなる鉄心群の間に制振鋼板を配し、磁束の変動による磁励振動を吸収すると共に、鉄心を小群化とする事で鉄心の共振周波数をさらに高いものとして、外部への騒音低減を図る。例えば、かご形誘導電動機の例では、鉄心を制振鋼板６．あるいは７．で小さくブロック化して鉄心部分の共振周波数を高周波側にずらし、かつ制振鋼板そのものによる振動吸収力により電磁鋼板間の磁励振動を吸収する事で騒音低減に対する相乗効果が得られる。また、誘導電動機に限らず、鉄心を有するトランス、リアクトル等の電磁機器において、その鉄心部分に制振鋼板を配する事で同様の効果が得られる。【選択図】図１
2006014555.tif 000002
【特許請求の範囲】
【請求項１】
電磁鋼板を使用する電気機器において、電磁鋼板の間に部分的に制振鋼板を介在させる
ことにより磁励振動を吸収して外的に発生する騒音を低減する事を目的とした機器構造。
【発明の詳細な説明】
【技術分野】
【０００１】
本発明は、電磁鋼板を使用した電磁機器において発生する騒音の低減化に関するものである。
【背景技術】
【０００２】
電動機、発電機、トランス、リアクトル等に代表される電磁力あるいは電磁誘導を利用
する機器においては、鉄心部分を通る磁束の変化によって生ずる渦電流損失等を軽減する為、同一種類の電磁鋼板を積層し使用している。
【０００３】
しかし、これらの機器は磁束が変化する事で、電磁鋼板間で磁励振動が発生し、それが外部に騒音として発生するという欠点があった。
【０００４】
特に、電気鉄道などの客先サービスを伴うものに使用される電気機器において、この欠点は大きな障害となる。
【０００５】
この改善策として、電磁鋼板どうしの密着性を向上させる為、鉄心の両端からボルト等で強く締め付ける、あるいは樹脂含浸などにより鋼板どうしを密着させる等の方策を採用しており、若干の騒音低減にはつながっているものの、大幅な低減にはつながっていないのが現状である。（例えば、特許文献１参照。）。
【特許文献１】特開２００４−０５５７８７
【発明の開示】
【発明が解決しようとする課題】
【０００６】
解決しようとする問題点は、磁束が変化する事で発生する電磁鋼板間の磁励振動が何等
吸収されず、外部への騒音発生源となる点である。
【課題を解決するための手段】
【０００７】
本発明は、電磁鋼板数枚毎に制振鋼板を挟み込み、その制振鋼板部分で振動を吸収する
ことにより、発生する騒音を低減することを最も主要な特徴とする。
【発明の効果】
【０００８】
本発明は、機器の基本的構造を大きく変更しないで発生騒音を低減出来るという利点がある。
【発明を実施するための最良の形態】
【０００９】
電磁鋼板数枚を制振鋼板へ置き換えるのみで構成が可能であり、対象機器の基本的構造を大きく変更しない構造となる。
【実施例１】
【００１０】
図１は誘導電動機を対象とした本発明構造の１実施例の簡略断面図であって、１は固定子鉄心電磁鋼板、２は回転子鉄心電磁鋼板、３は固定子コイル、４は回転子バー、５は枠、
６は固定子鉄心制振鋼板、７は回転子鉄心制振鋼板、８は固定子鉄心押え、９は回転子鉄心押え、１０はエンドリングを示す。
【００１１】
固定子鉄心制振鋼板６．及び回転子鉄心制振鋼板７．は各々固定子鉄心電磁鋼板１．及び回転子鉄心電磁鋼板２．数枚で構成される鉄心組の間に配置され、１枚ないし比較的少数枚で構成される。
【００１２】
本例は、かご形誘導電動機の例を示したものであるが、固定子側に発生した回転磁界と回転磁界が回転子バー４とエンドリング１０で形成される回転子コイル部を切る事により発生する磁界との関係で回転力を得ているものであり、固定子鉄心電磁鋼板１．及び回転子鉄心電磁鋼板２．で構成される鉄心組部分に流れる磁束は大きく変動する。
【００１３】
その為、各電磁鋼板間においては、吸引・反発による叩き合い現象が生じ、この周波数
が鉄心部分の共振周波数と一致すると外部へ大きな騒音を発生する事となる。
【００１４】
しかし、本構造においては鉄心を制振鋼板６．あるいは７．で小さくブロック化しており鉄心部分の共振周波数を高周波側にずらす事が可能であり、かつ制振鋼板そのものによる振動吸収力により電磁鋼板間の磁励振動を吸収する事で騒音低減に対する相乗効果が得られる。
【産業上の利用可能性】
【００１５】
上記の実施例については誘導電動機に関するものであるが、鉄心を有するトランス、リアクトル等の電磁機器において、その鉄心部分に制振鋼板を配する事で同様の効果が得られる。
【図面の簡単な説明】
【００１６】
【図１】図１は誘導電動機を対象とした本発明構造の１実施例の簡略断面図である。
【符号の説明】
【００１７】
１    固定子鉄心電磁鋼板
２    回転子鉄心電磁鋼板
３    固定子コイル
４    回転子バー
５    枠
６    固定子鉄心制振鋼板
７    回転子鉄心制振鋼板
８    固定子鉄心押え
９    回転子鉄心押え
１０  エンドリング
【図１】
2006014555.tif 000003
(57)【要約】【課題】体を移動さすために歩いているが、足の運動エネルギーから電気エネルギーを得る。【解決手段】靴底に発電機を取りつける。運動をしている事から１ローターを動かし、５歯車３（モーター部）で電気を起し、６充電器で充電し、７蓄電池に電気を溜める。【選択図】図１
2006014572.tif 000002
【特許請求の範囲】
【請求項１】
発電する装置を靴底に置いた事を技とする歩行発電機。
【請求項２】
自動巻腕時計の機構を採用した事を技とする歩行発電機。
【請求項３】
充電器と蓄電池も組み込み、蓄電池にエネルギーをためるようにした事を技とする歩行発電機。
【請求項４】
エネルギーの量を２倍にするため発電部を２ケ同じものを置いた事を技とする歩行発電機。
【発明の詳細な説明】
【技術分野】
【０００１】  本発明は歩くことで発電を起す事ができる発電機に関するものである。
【背景技術】
【０００２】  歩くという事に関して、歩く行為というものからエネルギーを得るという事は従来は、あまりなかった。或いは、あっても実用化はされていないというのが、現実である。
【発明の開示】
【発明が解決しようとする課題】
【０００３】  人類はエネルギーを得るために、さまざまな機械を作ってきた。歩くという行為は人体をある場所から、他の場所へ移動するだけの行為であり、その結果、体内のエネルギーは消費される、というものであった。エネルギーを考えると、以前では見捨てられがちであった風力による発電までが、大きく取り上げられるようになってきた。その事より私は、歩くという行為から、エネルギーが得られてもおかしい事はない、それ以上にその数（歩行発電を利用する人の数）が増えて、エネルギー体系の一つに数えられるようになれば、と思った。
【課題を解決するための手段】  上記目的を達成するために、本発明は小型の発電装置と充電装置の入った、入れ物を靴底に組み込んだものとした。【０００４】  人間の歩行は体を移動するという目的に対する手段であるが、その運動エネルギーは遊んでいて、消えてしまう。私はその運動エネルギーを他のエネルギーに変えて、溜めることができないものか、と考え電気エネルギーに変える事に結論づけたのである。【０００５】  歩行という、さまざまな（一定でない）運動をエネルギーに変えるその媒体となるものが、自動巻腕時計のローターやぜんまいの部分であった。【０００６】  ある一本のピスの回転により、発電された電気エネルギーを安定した形で溜めるために、充電器と蓄電池を利用して、溜まると蓄電池を空（から）の蓄電池と交換するようにした。【０００７】  エネルギーの量を大きくするために、発電部を２ケ置いて、エネルギー量を２倍にした。
【発明の効果】  本発明は、以上説明したように構成されているので、以下に記載されるような効果を奏する。【０００８】  足の上げ下げにより動くローターは、ゼンマイを巻こうとする。ゼンマイは復元しようとして、歯車１を回転さす。歯車１はさらに歯車２を、そして歯車３が速いスピードで回転するために、モーター部の磁石などと関係し、発電を起こす。そして、その電気は充電器を通りさらに充電池を充電さす、そして、電力となる。【０００９】  今までは全く無視されてきた人間の歩く（或いは走る）行為が、電気エネルギーになると、見なおされ、特に該発明を多くの人が使用すればする程、市場にクリーンなエネルギーが増える事になる。
【発明を実施するための最良の形態】
【００１０】  該発明は発電し蓄電する一速のキットを、靴底にはめ込むものであるので、その対象となる靴は紳士用の皮靴や婦人用のブーツなどになる。それを、靴のメーカーでこのキットが入る靴を作り、次に、電気メーカーなどでこのキットをはめ込んで市場に出す、というものである。
【実施例】
【００１１】  ここでは特に電気メーカーでの仕様を述べる事にする。まず８金属空気に、９仕切り上部支えパネルを接続する。そして、１ローターと２ゼンマイと３歯車１を固定し、４歯車２と５歯車３（モーター部）を固定する。歯車１は歯の数は１００ケ、歯車２は歯の数は５ケ、そして歯車３の歯の数は３ケとする。そして歯車１が５秒で１回転するとモーター部にある歯車３は、１秒間に６、４回まわる事になる。そして６充電機を取りつける。１１赤ランプは７充電池を入れても充電できていない事を示し、１２緑ランプは充電できている事を示す。そして充電池を入れる。【００１２】  そして、この靴をはいて、歩行する。緑ランプがついて、充電できたのであれば、外し、別の充電池を入れる。
【図面の簡単な説明】
【００１３】
【図１】歩行発電機の縦断面である。
【図２】歩行発電機を上から見た図である。
【図１】
2006014572.tif 000003
【図２】
2006014572.tif 000004
(57)【要約】【課題】  分別のつかない幼児は大人の真似をしながら成長するものであり  生活の中において  テレビ等のリモコンはテーブル等、幼児の手の届く範囲にある為，幼児の玩具になり簡単にチャンネルや音量、電源の入り、切りを行える物であった。この不具合を解消できるものを提供したい。【解決手段】  幼児が簡単にリモコン作動できないようなチャイルドロックを装備したリモコンを考案した。【特許請求の範囲】
【請求項１】
テレビ、ビデオ、ＤＶＤ等、映像機器のリモコンに幼児用のチャイルドロックを装備したリモコン。
【発明の詳細な説明】
【発明の詳細な説明】
【０００１】  テレビ、ビデオ、ＤＶＤ等、映像機器のリモコンで幼児が遊び簡単にチャンネルや音量が変更される事を防ぐ機能を装備したリモコン。
【技術分野】
【０００２】  Ｈ０４Ｎ５／００
【背景技術】
【０００３】  従来、リモコンに幼児用のチャイルドロックを装備したリモコンが無かった。
【発明が解決しようとする課題】
【０００４】  分別のつかない幼児は大人の真似をしながら成長するものであり  生活の中において  テレビ等のリモコンはテーブル等、幼児の手の届く範囲にある為、幼児の玩具になり簡単にチャンネルや音量、電源の入り、切りを行える物であった。この不具合を解消できるものを提供したい。
【課題を解決するための手段】
【０００５】  課題を解決するため、幼児が簡単にリモコン作動できないようなチャイルドロックを装備したリモコンを考案した。
【発明を実施するための最良の形態】
【０００６】  リモコンのチャイルドロックの形態は、ロック用スライドスイッチ、隠しスイッチ、一つのスイッチを抑えながらでなくては作動しないスイッチ等多々考えられ、それぞれ幼児用のチャイルドロックとして大変便利であった。
【発明の効果】
本発明の効果で、幼児が簡単にリモコン作動できなくなり大変便利なものであった。
(57)【要約】      （修正有）【課題】特殊な場所では、室内位置情報が最も重要になっている。例えば、駅の構内の誘導や閉鎖された空間内の案内などに利用者の位置情報は必要な情報である。そこで本件の携帯端末誘導システムはこれらの問題を解決できる商品である。【解決手段】携帯端末器と対応する監視カメラからの誘導サーバーとカラーマッチング技術により双方向通信を行うものである。【選択図】図１
2006014253.tif 000002
【特許請求の範囲】
【請求項１】
携帯電話等の移動端末器による利用者の位置情報を得るための誘導システムである。
【発明の詳細な説明】
【技術分野】
【０００１】  本発明は全地球無線測位システム（ＧＰＳ）利用不可能な場所の誘導の課題に対して、低コストなおかつ便利な手法を提案した。提案手法のポイントとは画像処理とモバイル技術に基づいて、既存の設備を利用しながらこの任務を果たすことである。
【背景技術】
【０００２】  通信技術として無線技術の開発が進められているが、コスト高及び機器の大きさ、建物の中は難しい等が問題にされている。室内位置情報を得るために特殊なＧＰＳプレートは壁面に敷き詰めて使用したり、ＩＣタグは床に埋め込んだり、室内のあらゆる場所に埋め込まれた送受信機により認識して位置がわかるようになっている。【０００３】  しかしながら、これらの送受信機は安くても、環境内にセンサーネットワークを構築するために、膨大な工事費用や管理費用を必要とする。【０００４】  一方、特殊な場所では、室内位置情報は最も重要となっている。例えば、駅の構内の誘導や閉鎖された空間内の案内などに利用者の位置情報は必要な情報である。そこで、本件の携帯端末誘導システムはこれらの問題を解決できる商品である。
【発明の開示】
【発明が解決しようとする課題】
【０００５】  インターネットアクセスできるカラースクリーンの携帯電話を利用者は手にしながら駅などの空間内に移動する場所を考える。空間の中にいろいろ重要な場所には、監視カラーカメラを設置されていている。利用者は移動先の場所へ誘導する要請があれば、携帯電話のメニューから自分の行き先を指定し、誘導ボタンを押してから、携帯電話はインターネットを通し、誘導サーバーへとつながる。【０００６】  誘導サーバーから得たＩＤを特定できる一定パターンの色を携帯画像に表示する。そのときに、利用者は自分の位置まで一番近くに設置された監視カメラのほうへ移動し、その携帯の画面をカメラに向かっていて、カメラは携帯の表示画面の色パターンを取り、ＩＤを確認しながら、利用者の位置がわかる。そして、目的地への誘導地図をダイナミックに構成し、形態は次の画面として提示する。以上のような従来問題化されていた位置情報をやり取りする商品が無いということで、本件により空間内の携帯誘導システムを開発した。
【発明を解決するための手段】
【０００７】  画像処理とは、携帯電話はインターネットを経由し、誘導サーバーとつながった際にサーバーからダウンロードした一定色パターンのカラーグラフィック画像システムと接続しているカメラに向かう。カメラはその色パターン画像を撮影し、再び誘導サーバーへ送る。誘導サーバーはカメラから送ってきた、撮影された色パターン画像に対して、画像処理によりパターン認識を行いながら、カメラの位置と携帯ＩＤの関係を作るわけである。
【発明の効果】
【０００８】  モバイル技術については、本手法はインターネットが利用可能な携帯電話を移動端末として扱うので、携帯電話のネットワーク技術を利用しながら、従来自動送受信と動的の画像の表示を実現するため、パソコンにしか使えないインターネットアプリケーションを携帯に使えるＪＡＶＡアプリケーションに簡単化した。
【図面の簡単な説明】
【０００９】  〔図１説明図〕  本発明は、ＧＰＳ利用不可能場所の誘導の課題に対して、低コストなおかつ便利な手法を開発した。この手法のポイントとは、画像処理と携帯送受信技術に基づいて、既存の設備を利用しながらこの作業を果たすことである。画像処理とは、携帯電話はインターネットを経由し、誘導サーバーとつながった際にサーバーからダウンロードした一定色パターンのカラーグラフィック画像システムと接続しているカメラに向かう。カメラはその色パターン画像を撮影し、再び誘導サーバーへ送る。誘導サーバーはカメラから送ってきた、撮影された色パターン画像に対して、画像処理によりパターン認識を行いながら、カメラの位置と携帯ＩＤの関係を作るわけである。  〔図２システムのイメージ図〕  １．携帯端末機の表示画面をカメラに向かい、ＩＤを確認する。２．誘導サーバーは利用者（携帯の持ち主）の位置（どのカメラまでが近い）がわかる。３．目的地への誘導地図を作成し、携帯に送る。  〔図３カラーマッチングの説明図〕  １．インターネットを利用して、携帯電話は誘導サーバーのサイトから色パターン画像をダウンロードする。色パターン画像はサーバーにより動的に生成されている。また、ダウンロードする際に、携帯のＩＤ番号をサーバーに記録されている。２．色パターン画像を表示した消え携帯電話の画面を誘導システムのカメラに見せる。３．システムのカメラによる撮影した色パターン画像をそのままに誘導サーバーへ転送する。４．画像処理のパターンマッチング（模様照合）技術に基づいて、システムが撮影した色パターン画像との照合を行う。５．照合が一致した場合、最初にシステムに記録された携帯ＩＤ番号と、撮影を行ったカメラの位置情報がわかる。以上のような理由からシステム照合結果により、カメラ位置情報と携帯ＩＤの関連を作る。
【図１】
2006014253.tif 000003
【図２】
2006014253.tif 000004
【図３】
2006014253.tif 000005
【手続補正書】
【提出日】平成16年11月30日(2004.11.30)
【手続補正１】
【補正対象書類名】明細書
【補正対象項目名】０００９
【補正方法】変更
【補正の内容】
【０００９】
【図１】  説明図
【図２】  システムのイメージ図
【図３】  カラーマッチングの説明図
(57)【要約】      （修正有）【課題】  カメラ付きケイタイのカメラレンズ部を回転して、前後を映しやすくする。【解決手段】ケイタイの画面側頭部に本体に付随するようにカメラ部を約２ｃｍ前後の厚さで付け、本体のＣ画面側の頭部にＢの首ふり台を１８０°回転するように付け、Ａのカメラレンズ部が１８０°回転するようにする。これによって、ビデオカメラのように被写体を自由に動き、角度を付けて映すことができる。【選択図】図２
2006014257.tif 000002
【特許請求の範囲】
【請求項１】
カメラ付きケイタイのレンズの付いているカメラ部がケイタイの画面側頭部に本体に付ずいするように約２ｃｍ前後のあつさで付いていて、上記カメラ部が１８０°回転することが出来、前後の映像が画面で見ながら映せる首ふりカメラケイタイ。
【発明の詳細な説明】
【技術分野】
【０００１】本発明は、フォトとムービーのカメラケイタイのカメラレンズ部が付ずいする場所の機能に関するものである。
【技術背景】
【０００２】カメラ付きケイタイのカメラレンズ部が画面の後ろに付いておりケイタイの後の背景は、かんたん
2006014257.tif 000003
しい様な問題点があった。
【発明の開示】
【発明が解決しようとする課題】
【０００３】しかしながら、カメラレンズ部がケイタイ画面側とプッシュキー側のつなぎの場所に前後回転するレンズ部の付いたカメラケイタイはあったが、背景や手前を映す場合映し方に少しなんがある様に思えたのは、レンズが中間にあったので映す角度を決める時などに神けいを使うように思えた。【０００４】本発明は、このような従来の問題点を解決しようとするものであり、レンズ部の映すポイントを、しっかりと角度を決めて通常のビデオカメラのように映すことが出来る。
【課題を解決するための手段】
【０００５】上記目的を達成するために、本発明は、カメラ付きケイタイのカメラレンズ部をケイタイの最頭部にうすくしかも回転するような機能でそうちゃくした事をポイントとしているのでビデオカメラでひしゃ体を自由に映し動きを付けて角度をかえて映る時などこのカメラ付きケイタイのケイタイとしての目的を感じる事なくビデオカメラを使う感かくで使う事が出来る。
【発明の効果】
【０００６】本発明の首ふりカメラケイタイによれば、通常のビデオカメラを使うような感じで自由に前後の映像が映せるという利点がある。
【発明を実施するための最良の形態】
【０００７】以下、本発明の実施の形態を図に基づいて説明する。
【実施例】
【０００８】図１のカメラケイタイ本体のＣ画面側の頭部にＢの首ふり台が１８０°回転するように付いておりＡのカメラレンズ部が１８０°回転することが出来て映せる様なしくみになっている。例として、図２のようにＢを回転さてて図３のように１８０°回転させれば、後の背景が思うように映せれるようになる。
【図面の簡単な説明】
【０００９】
【図１】本体の外観図である。
【図２】カメラレンズ台の回転の説明図である
【図３】カメラレンズ部が１８０°回転した時の図である。
【符号の説明】
【００１０】Ａ    カメラレンズ部
Ｂ    カメラレンズ部首ふり台
Ｃ    ケイタイ本体の画面側
【図１】
2006014257.tif 000004
【図２】
2006014257.tif 000005
【図３】
2006014257.tif 000006
(57)【要約】      （修正有）【課題】  着信音が鳴った時に、携帯電話を開けてからペアキーを押さなくても通話可能状態となる利便性の高い携帯電話の提供。【解決手段】  携帯電話に、着信音が鳴っている時に開けるだけでペアキーが入り受信状態になる機能を付加し、携帯電話の利便性を高めることを可能にする。【選択図】    図１
2006014254.tif 000002
【特許請求の範囲】
【請求項１】
着信音が鳴っている時に開けるだけで受信状態になる折畳式携帯電話
【発明の詳細な説明】
【発明の詳細な説明】
【技術分野】
【０００１】本発明は、利用者が急速に拡大し、健常者のみならず、高齢者、ハンディキャップを有する人々が利用しつつある携帯電話に、着信音が鳴っている時に開けるだけでペアキーが入り受信状態になる機能を付加し、携帯電話の利便性を高めるためのものである。
【背景技術】
【０００２】従来の折畳式携帯電話では、着信音が鳴った時に、携帯電話を開けてからペアキーを押さなければ通話可能状態とはならなかった。従来の方法では近いところが見辛い老人や、目の悪い人が間違って関係のないキーを押す事例が相次いでいる。さらに健常者であっても薄暗い時あるいは仕事に忙殺されている場合には、咄嗟の受信時に、キー位置の確認に困難を生じる事例が続発している。
【発明が解決しようとする課題】
【０００３】以上述べたように従来の折畳式携帯電話では、着信音が鳴った時に、携帯電話を開けてからペアキーを押さなければ通話可能状態とはならなかったことから、老人や目の悪い人たちに多大の不便をかけてきたが有効な策が講じられるには至らず、その解決することが強く要請されている課題であった。
【課題を解決するための手段】
【０００４】本発明では、上記の課題を解決する為に、携帯電話に、着信音が鳴っている時に開けるだけでペアキーが入り受信状態になる機能を付加し、携帯電話の利便性を高めることを可能にするものである。
【構成と作用】
【０００５】  本発明の構成と作用について述べる。折畳式携帯電話において、着信音が鳴っている時に開ける時ペアキーが入り受信状態になる状態とする。これを可能とするため、ペアーキー入力スイッチは図１に示す配線図を有する。図１において受信音が鳴った時、スイッチ１３は閉じオン状態となる。このとき携帯電話を開けることによりスイッチ１１が閉じオン状態となる。この結果、指で押した時オン状態となる１２スイッチを押す必要がない状態で携帯電話が通話可能となる。
【実施例】
【０００６】本発明の１実施例として、図１に示す配線図を有するペアーキー入力スイッチを内臓する折畳式携帯電話について具体的に説明する。受信時に呼び出し音が嗚った時、スイッチ１３は閉じオン状態となる。このとき携帯電話を開けることによりスイッチ１１が閉じオン状態となる。この結果、指で押した時オン状態となる１２スイッチを押す必要がない状態で携帯電話が通話可能となるので、携帯電話を開け通話を行い、通話が終了すれば携帯電話を閉じるのみでよい。
【発明の効果】
【０００７】以上明らかなように本発明の折畳式携帯電話は、着信音が鳴っている時に開けるだけでペアキーが入り受信状態になる機能を付加し、携帯電話の利便性を高めることを可能となるので、従来不便を感じていた老人や目の悪い人々に朗報をもたらすものである。
【図面の簡単な説明】【図１】ペアキースイッチ配線図
【符号の説明】
１１は、折畳式携帯電話を開けた時、閉じオン状態となるペアキースイッチ１２は、ボタンを指で押した時、閉じオン状態となるペアキースイッチ１３は、受信音が鳴った時、閉じオン状態となるペアキースイッチ
【図１】
2006014254.tif 000003
(57)【要約】【課題】本発明は、作業性が良く、分岐回路数を減らすことなく避雷器や感震器等の付加機器７を搭載する分電盤１の付加機器取り付け方法を提供することを目的としている。【解決手段】本発明に係る分電盤１は、避雷器や感震器等の付加機器７を搭載する場合、付加機器７を接続導体８と一体に形成することを特徴とし、従来通り接続導体８を取り付けることで、付加機器７も接続できる。または、付加機器を接続導体に取り付け可能に形成することを特徴とする。【選択図】図１
2006014422.tif 000002
【特許請求の範囲】
【請求項１】
主幹ブレーカや分岐ブレーカ等の電気機器が配列され、前記主幹ブレーカと分岐ブレーカとが銅バー等の接続導体で結線されて成る分電盤において、前記分電盤に避雷器や感震器等の付加機器を搭載する場合、該付加機器を前記接続導体と一体に形成することを特徴とする分電盤。
【請求項２】
前記分電盤において、前記分電盤に避雷器や感震器等の付加機器を搭載する場合、該付加機器を前記接続導体に取り付け可能とすることを特徴とする分電盤。
【発明の詳細な説明】
【技術分野】
【０００１】
本発明は、主幹ブレーカや分岐ブレーカ等の電気機器が配列され、主幹ブレーカと分岐ブレーカとが銅バー等の接続導体で結線されて成る分電盤に関するものである。
【背景技術】
【０００２】
分電盤に避雷器や感震器等、高機能機器を搭載する場合、通常分岐ブレーカを配置している列に分岐ブレーカと入れ替えて取り付けていた。
【非特許文献１】２００４カワムラカタログ電設資材編ＮＯ．３４改訂版  平成１６年４月１日発行
【発明の開示】
【発明が解決しようとする課題】
【０００３】
しかしながら、高機能機器を分岐ブレーカと入れ替えるため、分岐ブレーカが減少し回路数も減少させてしまう。
【課題を解決するための手段】
【０００４】
そこで本発明は、作業性が良く、分岐回路数を減らすことなく避雷器や感震器等の付加機器を搭載する分電盤の付加機器取り付け方法を提供することを目的とし、その構造は、分電盤に避雷器や感震器等の付加機器を搭載する場合、付加機器を接続導体と一体に形成することを特徴とする。
【０００５】
また、分電盤に避雷器や感震器等の付加機器を搭載する場合、付加機器を接続導体に取り付け可能とすることを特徴とする。
【発明の効果】
【０００６】
本発明の分電盤は、分岐回路数を減少させることなく、付加機器を搭載することができる。また、既設の分電盤にあとから、避雷機能や感震機能等、付加機能を簡単に追加することができる。
【発明を実施するための最良の形態】
【０００７】
避雷機能や感震機能等、付加機能を分電盤に搭載するという目的を、最小の部品点数で、分岐回路を減少させることなく実現した。
【実施例１】
【０００８】
本発明に係る分電盤の実施例を図１の添付図面に基づいて説明する。
【０００９】
分電盤１を構成する主幹ブレーカ２や分岐ブレーカ３はパネル４に配置され、パネル４を基台（図示せず）に取り付けている。主幹ブレーカ２の端子５には略Ｌ字状の銅バー６で構成される接続導体がねじ締め等により接続される。銅バー６の主幹ブレーカ２と接続された側とは反対側の端部は分岐ブレーカ３に取り付けられる銅バー(図示せず）に接続される。
【００１０】
本発明では、分電盤１に避雷器や感震器等の付加機能を搭載する場合、銅バー６と付加機器７とを一体にした接続導体８を形成する。主幹ブレーカ２と分岐ブレーカ３とを付加機器一体型接続導体８で従来のものと同様に接続するだけで、避雷機能や感震機能が付加できる。
【実施例２】
【００１１】
本発明の請求項２に係る分電盤の実施例を図２〜図５の添付図面に基づいて説明する。
【００１２】
分電盤９に配置された主幹ブレーカ１０と分岐ブレーカ１１とを銅バー１２で接続する。避雷機能や感震機能を搭載する場合には、避雷器や感震器等の付加機器１３を銅バー１２に取り付ける。付加機器１３には銅バー１２に係止可能である端子１４を設け、銅バー１２の任意の位置に付加機器１３を係止する。避雷器や感震器等の付加機器１３の取り付け位置は特に限定されるものではなく、図３に示すように、銅バー１２の下部に取り付けることもできる。
【実施例３】
【００１３】
避雷器や感震器等のの付加機器１５の取り付け位置は、図４に示すように、銅バー１６の側面側でも良い。
【実施例４】
【００１４】
避雷器や感震器等のの付加機器１７の取り付け位置は、図５に示すように、銅バー１８の側面側に接続し、機器本体を銅バー１８の前面側においても良い。
【産業上の利用可能性】
【００１５】
避雷器や感震器等の付加機器を、分岐ブレーカと入れ替えて取り付けるのではなく、主幹ブレーカと分岐ブレーカとを接続する接続導体に一体形成もしくは取り付けることにより、分岐回路数を減少させること無く、付加機能を持たせることができ、取り付けスペースが小さく基台を小さく抑えたいときに適用可能である。
【図面の簡単な説明】
【００１６】
【図１】本発明に係る分電盤の実施例を示す説明図である。（実施例１）
【図２】本発明に係る分電盤の実施例を示す説明図である。（実施例２）
【図３】本発明に係る分電盤の実施例を示す説明図である。（実施例３）
【図４】本発明に係る分電盤の実施例を示す説明図である。（実施例４）
【図５】本発明に係る分電盤の実施例を示す説明図である。（実施例５）
【符号の説明】
【００１７】
１    分電盤
２    主幹ブレーカ
３    分岐ブレーカ
４    パネル
５    端子
６    銅バー
７    付加機器
８    接続導体
９    分電盤
１０  主幹ブレーカ
１１  分岐ブレーカ
１２  銅バー
１３  付加機器
１４  端子
１５  付加機器
１６  銅バー
１７  付加機器
１８  銅バー
【図１】
2006014422.tif 000003
【図２】
2006014422.tif 000004
【図３】
2006014422.tif 000005
【図４】
2006014422.tif 000006
【図５】
2006014422.tif 000007
(57)【要約】【課題】本発明は、作業性が良く、分岐回路数を減らすことなく、高機能機器を搭載することのできる分電盤６を提供することを目的としている。【解決手段】本発明に係る分電盤は、主幹ブレーカ３横のスペースに高機能機器を配置することを特徴とする。または、主幹ブレーカ３に端子部７を設け、主幹ブレーカ３と高機能機器８とが接続可能であることを特徴とし、省スペースで高機能機器８を付加することができ、高機能機器８の取り付け作業は簡単で、分岐回路数も減少しない。【選択図】図２
2006014421.tif 000002
【特許請求の範囲】
【請求項１】
主幹ブレーカや分岐ブレーカ等の各種電気機器を前面に開口を有する基台に配置し、前記開口をカバーにて被覆して成る分電盤において、前記主幹ブレーカ横のスペースに前記高機能機器を配置することを特徴とする分電盤。
【請求項２】
前記分電盤において、前記主幹ブレーカに端子部を設け、前記主幹ブレーカと前記高機能機器とが接続可能であることを特徴とする請求項１に記載の分電盤。
【発明の詳細な説明】
【技術分野】
【０００１】
本発明は、主幹ブレーカや分岐ブレーカ等の各種電気機器を前面に開口を有する基台に配置し、開口をカバーにて被覆して成る分電盤に関するものである。
【背景技術】
【０００２】
分電盤に避雷器や感震器等、高機能機器を搭載する場合、通常分岐ブレーカを配置している列に分岐ブレーカと入れ替えて取り付けていた。
【非特許文献１】２００４カワムラカタログ電設資材編ＮＯ．３４改訂版  平成１６年４月１日発行
【発明の開示】
【発明が解決しようとする課題】
【０００３】
しかしながら、高機能機器を分岐ブレーカと入れ替えるため、分岐ブレーカが減少し回路数も減少させてしまう。
【課題を解決するための手段】
【０００４】
そこで本発明は、作業性が良く、分岐回路数を減らすことなく、高機能機器を搭載することのできる分電盤を提供することを目的とし、その構造は、主幹ブレーカ横のスペースに高機能機器を配置することを特徴とする。
【０００５】
主幹ブレーカに端子部を設け、主幹ブレーカと高機能機器とが接続可能であることを特徴とする。
【発明の効果】
【０００６】
本発明に係る分電盤は、主幹ブレーカに端子部を設け、主幹ブレーカに高機能機器を接続させることで、分岐ブレーカの回路数を減らさずに、さらに取り付けの作業性も向上できる。
【発明を実施するための最良の形態】
【０００７】
分岐回路との入れ替えでなく、避雷器や感震器等の高機能機器を主幹ブレーカに取り付けられることで、分岐回路数を減少させずに、分電盤に避雷や感震の高機能を付加することができる。
【実施例１】
【０００８】
本発明に係る分電盤を図１〜図２の添付図面に基づいて説明する。
【０００９】
前面に開口１を有する基台２に主幹ブレーカ３や分岐ブレーカ４等の電気機器を配置し、前面開口１はカバー５等で被覆して分電盤６が構成される。
【００１０】
分電盤６に避雷器や感震器等の高機能機器を搭載する場合、主幹ブレーカ３横のスペース７に単独で配置する。従来、分岐ブレーカ４と入れ替えて高機能機器を取り付けていたため、分岐回路数が減少してしまうという欠点があったが、本発明では高機能機器を単独で取り付けることにより、分岐回路数を減少させずに高機能機器を分電盤６に搭載できる。
【実施例２】
【００１１】
また、高機能機器８と主幹ブレーカ３とは、主幹ブレーカ３の側面には端子９を設け、端子９を介して避雷器や感震器等の高機能機器８を直接主幹ブレーカ３に接続する。この主幹ブレーカ３は、高機能機器８を付加しない場合にも使用可能で、その場合には端子９をカバーで被覆して用いる。
【実施例３】
【００１２】
図１においては、主幹ブレーカ３の左側に高機能機器８を接続するための端子９を設けているが、本発明に係る高機能機器取り付け方法は、端子８の位置は特定されるものではなく、本発明の趣旨を逸脱しない範囲において適宜変更可能である。
【産業上の利用可能性】
【００１３】
避雷器や感震器等の高機能機器を主幹ブレーカに設けた端子に接続することにより、高機能機器を取り付けるために分岐回路数を減少させることなく、分電盤に搭載することができる。
【図面の簡単な説明】
【００１４】
【図１】本発明に係る分電盤を示す斜視図である。（実施例１、実施例２）
【図２】本発明に係る分電盤の高機能機器取り付け方法を示す説明図である。（実施例１、実施例２）
【符号の説明】
【００１５】
１    開口
２    基台
３    主幹ブレーカ
４    分岐ブレーカ
５    カバー
６    分電盤
７    スペース
８    高機能機器
９    端子
【図１】
2006014421.tif 000003
【図２】
2006014421.tif 000004